(57)【要約】      （修正有）【課題】長期に亘って付着物の除去をすることが可能なベルトクリーナを提供する。【解決手段】リターンベルト２の上側に対して、先端部にハンマー１０を支持してリターンベルト２の長手方向に延びる梃子部材９と、その梃子部材９を上下方向へ回動可能に当該梃子部材９の長手方向途中位置を支持する支点１２部と、上記リターンベルト２の移動に伴い回転する回転体７と、上記回転体７と一体に形成されて回転体７の回転軸に対して放射状に延びる１又は２以上の羽根部８と、を備える。上記各羽根部８は、回転体７の回転に伴い、上記梃子部におけるハンマー１０とは反対側の尾端部９ｂに対し上側から当接可能に配置される。【選択図】図３
2007099497.tif 000002
【特許請求の範囲】
【請求項１】
リターンベルトの上側に配置されて、ベルトの移動に伴いリターンベルトの上面を間欠的に叩いて当該リターンベルトに衝撃を与える衝撃付与装置を備えることを特徴とするベルトクリーナ。
【請求項２】
上記衝撃付与装置は、
リターンベルトの上方に配置されて下端部にローラが付いたハンマーと、
上記ハンマーをリターンベルトの移動に伴い間欠的に持ち上げて落下させる間欠運動機構とを備えることを特徴とする請求項１に記載したベルトクリーナ
【請求項３】
上記間欠運動機構は、
ハンマーを支持してリターンベルトの長手方向に延びる梃子部材と、
その梃子部材を上下方向へ回動可能に当該梃子部材の長手方向途中位置を支持する支点部と、
上記リターンベルトの移動に伴い回転する回転体と、
上記回転体と一体に形成されて回転体の回転軸に対して放射状に延びる１又は２以上の羽根部と、を備え、上記羽根部は、回転体の回転に伴い、上記梃子部におけるハンマーから離れた遠位端部に対し上側から当接可能に配置されることを特徴とする請求項２に記載したベルトクリーナ。
【発明の詳細な説明】
【技術分野】
【０００１】
本発明は、ベルトコンベアに使用されるベルトクリーナに関する。
【背景技術】
【０００２】
従来のベルトクリーナは、例えば特許文献１に記載のように、リターンベルトの下面に板状のスクレーパを摺接させるものであり、リターンベルト下面に付着している付着物を上記スクレーパで掻き落とす。
また、特許文献２に記載のベルトクリーナは、リターンベルトの下方に対し、ベルト幅方向に回転軸を向けた回転ローラの外周に周方向に沿って所定間隔毎に柱状体を突設させ、その柱状体を順番にリターンベルトの下面に接触させて回転させることで、リターンベルトの下面に付着している付着物を除去するものである。
【０００３】
また、特許文献３のように、上記回転ローラの外周にロープ状物を巻き付けて上記柱状体の代わりにしたものもある。
【特許文献１】実開昭５３-３７１８９号公報
【特許文献２】実開昭５２-３５０７６号公報
【特許文献３】実開昭５５-７８７１号公報
【発明の開示】
【発明が解決しようとする課題】
【０００４】
しかし、上記従来技術では、いずれもベルトに与える衝撃が小さいためベルトに付着している付着物除去の効果が小さい。
すなわち、特許文献１の構成では、付着除去能を上げるには、ベルトへのスクレーパの押しつけを強くする必要があるが、押し付けを強くするにも限界があり、十分に付着除去を行うことが出来ない。
【０００５】
また、特許文献２の構成では、付着物除去のための振動が不足し、また、柱状体がリターンベルトに当接しているときにだけ回転力が発生する構造であるため、回転ローラの回転が停止する場合がある。
また、いずれの構成でも、付着物が付着しているリターンベルトの下面側に当接するものであるので、付着物による目詰まりを起こしやすい構成である。特に、特許文献３の構成では、ロープ状物間の凹部部分に付着物が付着して１本のロールのようになってしまい、付着物除去の長期効果を望むことが出来ず、短期間での保守が要求される。
本発明は、上記のような点に着目してなされたもので、長期に亘って付着物の除去をすることが可能なベルトクリーナを提供することを課題としている。
【課題を解決するための手段】
【０００６】
上記課題を解決するために、本発明のうち請求項１に記載の発明は、リターンベルトの上側に配置されて、ベルトの移動に伴いリターンベルトの上面を間欠的に叩いて当該リターンベルトに衝撃を与える衝撃付与装置を備えることを特徴とするベルトクリーナを提供するものである。
次に、請求項２に記載した発明は、請求項１に記載した構成に対し、上記衝撃付与装置は、リターンベルトの上方に配置されて下端部にローラが付いたハンマーと、上記ハンマーをリターンベルトの移動に伴い間欠的に持ち上げて落下させる間欠運動機構とを備えることを特徴とするものである。
【０００７】
次に、請求項３に記載した発明は、請求項２に記載した構成に対し、上記間欠運動機構は、ハンマーを支持してリターンベルトの長手方向に延びる梃子部材と、その梃子部材を上下方向へ回動可能に当該梃子部材の長手方向途中位置を支持する支点部と、上記リターンベルトの移動に伴い回転する回転体と、上記回転体と一体に形成されて回転体の回転軸に対して放射状に延びる１又は２以上の羽根部と、を備え、上記羽根部は、回転体の回転に伴い、上記梃子部におけるハンマーから離れた遠位端部に対し上側から当接可能に配置されることを特徴とするものである。
【発明の効果】
【０００８】
本発明によれば、付着物の付着していないリターンベルトの上面側から衝撃を付与して付着物を落下させるので、付着物がベルトクリーナに付着することが防止されると共に、所定以上の衝撃及びそれによる振動をリターンベルトに与えやすくなる。
【発明を実施するための最良の形態】
【０００９】
次に、本発明の実施形態について図面を参照しつつ説明する。
図１は、本実施形態に係るベルトクリーナの配置位置を示す概要構成図である。
ベルトコンベアＢは、上行きのベルト１によってコークスなどのバラ荷４を搬送し、プーリ３によってベルトが反転する際に搬送してきた荷を降ろし、下行きのリターンベルト２２となる。リターンベルト２表面には付着粉などの付着物５が付着しており、そのままでは、リターンベルト２の移動に伴い、付着物５が広範囲に色々な箇所で落下してしまい、その清掃が大変である。このため、一定の位置、特にできるだけ帰りの上流側の位置に、リターンベルト２から付着物を除去するためのベルトクリーナ６を備える。
【００１０】
そして、本実施形態のベルトクリーナ６は、図１に示すように、リターンベルト２の上側に配置されている。
その構成について説明すると、ベルトクリーナ６は、図２及び図３に示すように、リターンベルト２の上側に対し、リターンベルト２によって回転する回転体７と、回転体７に設けられた複数の羽根部８と、回転体７の回転に伴い羽根部８によって間欠的に先端部が上方に跳ね上がる梃子部材９と、梃子部材９の先端部に設けられたハンマー１０とから構成される。
【００１１】
上記回転体７は、ベルト２の幅方向に延びる回転軸（不図示）に回転自在に支持された左右一対の回転板７ａと、その回転板７ａの中心部間を連結する連結棒７ｂとを備える。なお、上記回転板７ａは、不図示の回転軸を介してベルトコンベアＢの架台に支持されている。
上記一対の回転板７ａはそれぞれ、リターンベルト２上面の左右端部部分に当接し、リターンベルト２の移動に伴い上記回転軸周りに回転する。
【００１２】
また、上記連結棒７ｂの中央部には、放射状に延びる複数の羽根部８を備え、回転板７ａの回転に伴い、回転軸の軸線周りに回転する。
上記梃子部材９は、羽根部８の位置からリターンベルト２の上流側に向けて延び、その先端部９ａに上記ハンマー１０が設けられている。梃子部材９の尾端部９ｂは、上記回転する羽根部８が上側から当接可能な位置に配置されている。さらに、当該梃子部材９は、尾端部９ｂ側の位置が支点１２として回転可能に支持されていて、尾端部９ｂが下降すると前端部が上方に移動する。支点１２は、ベルトコンベアの架台に支持されている。
【００１３】
上記ハンマー１０は、上記梃子部材９の先端部から下方（梃子部材９と直交する方向）に延びる支柱部１０ａと、その支柱部１０ａの先端部に回転自在に取り付けられたローラ１０ｂとから構成される。
ここで、上記回転体７、羽根部８、及び梃子部材９が間欠運動機構を構成する。
なお、図１のように、上記ハンマー１０位置におけるリターンベルト２の下方にホッパー１３が配置され、落下してくる付着粉を受ける。
【００１４】
次に、上記構成のベルトクリーナ６の動作や作用・効果について説明する。
リターンベルト２が移動すると、その移動によって回転体７が回転し、複数の羽根部８が、図３において時計回りに回転し、間欠的に、梃子部材９の尾端部９ｂを下方に押し下げる。尾端部９ｂが押し下げられると、梃子部材９の先端部９ａつまりハンマー１０は上方に持ち上げられ、続いて、尾端部９ｂが羽根部８から離れることで、尾端部９ｂが上方に跳ね上がり、ハンマー１０は落下してリターンベルト２を叩く。この叩く際の衝撃力及びその振動によって、リターンベルト２の下面に付着していた付着粉などの付着物５がホッパー１３内に落下する。上記動作がリターンベルト２の移動速度に応じた間隔で連続的に発生して効果的に付着物５の除去が行われる。
【００１５】
また、ハンマー１０の先端部をローラ１０ｂにしてあるので、ハンマー１０の先端部でリターンベルト２の上面を擦ることが回避されて、ハンマー１０を重くなどしても、必要以上にベルト裏面に疵を付けることが回避される。
また、ベルトの移動を利用してハンマー１０を間欠的に上昇させて落下させているので、新たな動力源を設ける必要もない。
【００１６】
このとき、本実施形態では、付着物５が付着しているリターンベルト２の下面側（表面側）ではなく、上面側（裏面側）にベルトクリーナ６を構成する回転体７などを設けてあるので、付着物５がベルトクリーナ６に付着することによる悪影響を抑えることが出来る。例えば、回転体７と接触するベルト表面には付着物５が無いので、付着物５によるスリップが無いか小さく、また、付着物５が回転軸に付着することによる回転への悪影響もない。また、ベルトクリーナ６に付着した付着物５を除去するメンテナンスも不要である。
【００１７】
ここで、上記実施形態では、リターンベルト２に対して回転体７を回転可能に押し付けて該リターンベルト２によって回転体７を回転させているが、これに限定されない。例えば、上行きベルト１の下側に当接する第２の回転体を設け、該第２の回転体の回転を上記回転体７に伝達して回転させても良いし、プーリ３の回転をベルトなどで上記回転体７に伝達して回転させても良い。
【００１８】
また、上記実施形態では、羽根部８、梃子部材９、及びハンマー１０の組を、リターンベルト２の幅方向中央部に１組だけ設けたが、ベルト幅方向に沿って複数組設けたりしても良い。
また、上記実施形態では、回転体７に対し連結棒７ｂを介して羽根部８を連結しているが、回転体７に直接、羽根部８を連結しても良い。
【図面の簡単な説明】
【００１９】
【図１】本発明に基づく実施形態に係るベルトクリーナの配置位置を示す図である。
【図２】本発明に基づく実施形態に係る回転体と羽根部との関係を示す図である。
【図３】本発明に基づく実施形態に係るベルトクリーナを示す図である。
【符号の説明】
【００２０】
２  リターンベルト
４  バラ荷
５  付着物
６  ベルトクリーナ
７  回転体
７ａ  回転板
７ｂ  連結棒
８    羽根部
９  梃子部材
１０  ハンマー
１０ｂ  ローラ
１２  支点
１３  ホッパー
【図１】
2007099497.tif 000003
【図２】
2007099497.tif 000004
【図３】
2007099497.tif 000005